(57)【要約】【課題】  パネルフレームに取り付けられる外壁面材として変形性の小さい素材を用いる場合にも、パネルフレームの変形により外壁面材が破壊して、脱落するおそれのない外壁面材の支持構造を提供する。【解決手段】  本発明の外壁面材の支持構造Ｋは、外壁面材１の背面にパネルフレーム２が設けられてなる外壁パネルにおける外壁面材の支持構造であって、外壁面材を面内で回転可能に支持する上下中央部に設けられたピン支持部と、前記外壁面材１を面内で上下スライド可能に支持するスライド可能支持部とを組み合わせて、外壁面材１をパネルフレーム２に支持させる。スライド可能支持部は、パネルフレーム２に設けられた長孔２１を有する取付用プレート１２と、外壁面材１に設けられたアンカー部材１１とを備える。【選択図】  図１
2006063785.tif 000002
【特許請求の範囲】
【請求項１】
外壁面材の背面にパネルフレームが設けられてなる外壁パネルにおける外壁面材の支持構造であって、
外壁面材を面内で回転可能に支持する中央部の上端部および下端部にそれぞれ設けられたピン支持部と、前記外壁面材を面内で上下スライド可能に支持するスライド可能支持部とを組み合わせて、同外壁面材をパネルフレームに支持させることを特徴とする外壁面材の支持構造。
【請求項２】
スライド可能支持部が、パネルフレームに設けられた長孔を有する取付用プレートと、外壁面材に設けられたアンカー部材とを備え、
前記長孔を通してボルトが前記アンカー部材と係合されることにより、前記外壁面材がスライド可能とされてなることを特徴とする請求項１記載の外壁面材の支持構造。
【請求項３】
スライド可能支持部が、取付用プレートと、外壁面材に設けられたアンカー部材とを備え、
前記取付用プレートの先端部を溝型鋼からなるパネルフレームの側板部に当接させた状態でその基端部を前記アンカー部材に固定部材により固定することにより、前記外壁面材がスライド可能とされてなることを特徴とする請求項１記載の外壁面材の支持構造。
【請求項４】
スライド可能支持部が、取付用プレートと、外壁面材に設けられたアンカー部材とを備え、
前記取付用プレートが、先端部が溝型鋼からなるパネルフレームの側板部を挟持するように構成され、前記先端部により前記側板部を挟持させてその基端部を前記アンカー部材に固定部材により固定することにより、前記外壁面材がスライド可能とされてなることを特徴とする請求項１記載の外壁面材の支持構造。
【請求項５】
ピン支持部に防水機能および変形吸収機能を有する、厚肉円筒体とされたパッキンが装着されてなることを特徴とする請求項１記載の外壁面材の支持構造。
【請求項６】
パッキンがその外周に嵌合溝が環状に形成されてなることを特徴とする請求項５記載の外壁面材の支持構造。
【発明の詳細な説明】
【技術分野】
【０００１】
本発明は、外壁面材の支持構造に関する。さらに詳しくは、外壁面材とパネルフレームとがパネル化されてなるいわゆる外壁パネルにおいて外壁面材をパネルフレームにより支持するための外壁面材の支持構造に関する。
【背景技術】
【０００２】
従来より、外壁面材の背面にフレーム（パネルフレーム）を取り付けてパネル化するとともに、このようにして形成されたパネル（以下、外壁パネルという。特許文献１等参照）の前記フレームを梁、柱などの構造躯体に取り付け、これにより前記外壁面材を支持させるようにした外壁構造はよく知られている。
【０００３】
このような外壁構造において、外壁面材が窯業系サイディングのような軽量材料である場合には、図１１に示すように、面材１０１とパネルフレーム１０２とは、スペーサ１０３等を間に挟んでビス止めされるのが一般的である。この外壁構造においては、通常、面材１０１として用いられるサイディングがピース化されており、パネルフレーム１０２の変形により面材１０１に面内せん断変形が生じて例え一部ピースにひび割れが生じても、それにより力が逃がされて、面材１０１が破壊に至ることが防止される。
【０００４】
また、近年、その優れた防火性、堅牢性、デザイン性から外壁パネルに用いられる外壁面材をＧＲＣ（Glass Fiber Reinforced Cement: ガラス繊維補強セメント）板から形成する試みがなされている。ＧＲＣ板を用いる場合、その支持方法としては、図１２に示すように、面材２０１に例えばアンカー２０２を埋設し、これにパネルフレーム２０３をボルト２０４により固定することが考えられる。
【０００５】
ところが、前記支持方法では、面材２０１の素材が１枚物のＧＲＣ板であることもあって、パネルフレーム２０３の変形に面材２０１の面内せん断変形能力が追従せず、パネルフレーム２０３の変形が大きい場合には面材２０１が破壊して、脱落するおそれがあるといった問題がある。
【特許文献１】特開２００１−２７９８４０号公報
【発明の開示】
【発明が解決しようとする課題】
【０００６】
本発明はかかる従来技術の課題に鑑みなされたものであって、パネルフレームに取り付けられる外壁面材として変形性の小さい素材を用いる場合にも、パネルフレームの変形により外壁面材が破壊して、脱落するおそれのない外壁面材の支持構造を提供することを目的としている。
【課題を解決するための手段】
【０００７】
本発明の外壁面材の支持構造は、外壁面材の背面にパネルフレームが設けられてなる外壁パネルにおける外壁面材の支持構造であって、外壁面材を面内で回転可能に支持する中央部の上端部および下端部にそれぞれ設けられたピン支持部と、前記外壁面材を面内で上下スライド可能に支持するスライド可能支持部とを組み合わせて、同外壁面材をパネルフレームに支持させることを特徴とする。
【０００８】
本発明の外壁面材の支持構造においては、例えば、スライド可能支持部が、パネルフレームに設けられた長孔を有する取付用プレートと、外壁面材に設けられたアンカー部材とを備え、前記長孔を通してボルトが前記アンカー部材と係合されることにより、前記外壁面材がスライド可能とされてなるものとされたり、スライド可能支持部が、取付用プレートと、外壁面材に設けられたアンカー部材とを備え、前記取付用プレートの先端部を溝型鋼からなるパネルフレームの側板部に当接させた状態でその基端部を前記アンカー部材にボルトなどの固定部材により固定することにより、前記外壁面材がスライド可能とされてなるものとされたり、スライド可能支持部が、取付用プレートと、外壁面材に設けられたアンカー部材とを備え、前記取付用プレートが、先端部が溝型鋼からなるパネルフレームの側板部を挟持するように構成され、前記先端部により前記側板部を挟持させてその基端部を前記アンカー部材にボルトなどの固定部材により固定することにより、前記外壁面材がスライド可能とされてなるものとされたりする。
【０００９】
また、本発明の外壁面材の支持構造においては、ピン支持部に防水機能および変形吸収機能を有する厚肉円筒体とされたパッキンが装着されてなるのが好ましい。ここで、パッキンが、例えばその外周に嵌合溝が環状に形成されてなるものとされる。
【発明の効果】
【００１０】
本発明によれば、パネルフレームが地震などにより変形してもその相対変位が従来のものに比して１／２となり、かつ、その変形による応力がスライド支持部により逃がされるので、パネルフレームが変形しても外壁面材が破壊されて脱落するおそれはないという優れた効果が得られる。
【発明を実施するための最良の形態】
【００１１】
以下、添付図面を参照しながら本発明を実施形態に基づいて説明するが、本発明はかかる実施形態のみに限定されるものではない。
【００１２】
実施形態１
図１に本発明の実施形態１に係る外壁面材の支持構造Ｋを示す。
【００１３】
この支持構造Ｋは、図１に示すように、外壁面材１の各位置に所定数個（図示例では、１０個）のアンカー部材１１を埋設し、このアンカー部材１１を介して、外壁面材１と例えば溝型鋼からなるパネルフレーム２とを接続し、これにより、パネルフレーム２が建物の梁等の構造躯体に取り付けられた状態で、外壁面材１をパネルフレーム２により支持させるものとされる。ここで、外壁面材１は、厚さが３０ｍｍ程度のＧＲＣ（Glass Fiber Reinforced Cement: ガラス繊維補強セメント）板からなるものとされる。
【００１４】
図２にアンカー部材の詳細を示す。
【００１５】
アンカー部材１１は、図２に示すように、断面ハット形の板材とされ、外壁面材１の表面と平行に埋め込まれる２つの板状の埋め込み部１１ａと、埋め込み部１１ａが両側に形成され、外壁面材１の表面から所定高さ突出するように配される断面コの字形のボルトやビスなどの固定部材を取り付ける固定部材取付部１１ｂとから構成されている。
【００１６】
埋め込み部１１ａは、埋め込み強度を確保するために、それぞれ所定数個（図示例では６個）の透孔１１ｃが穿設されるものとされる。
【００１７】
固定部材取付部１１ｂには、固定部材としてボルトが用いられた場合、ボルト挿通用透孔１１ｄが上端水平部に穿設されるものとされる。
【００１８】
しかして、支持構造Ｋは、図３に示すように、外壁面材１の上端部中央位置Ｐ１および下端部中央位置Ｐ２の２箇所で外壁面材１を面内で回転可能に支持（ピン支持）し、かつ上端部と下端部の間の中間部の所定位置Ｐ３〜Ｐ１０で、外壁面材１を面内で上下スライド可能に支持（スライド可能支持）するものとされる。
【００１９】
すなわち、前記上端部中央位置Ｐ１、下端部中央位置Ｐ２においては、パネルフレーム２の左右中央に配された縦桟２ａ（図１参照）とアンカー部材１１とが例えばボルト（不図示である）により接続され、これにより外壁面材１が前記位置Ｐ１、Ｐ２において面内で回転可能に支持される。
【００２０】
また、前記中間部の各位置Ｐ３〜Ｐ１０においては、図４に示すように、外壁面材１の上下方向に長くされた長孔２１を有する取付用プレート１２を介して、パネルフレーム２とアンカー部材１１とが接続され、これにより外壁面材１が面内で上下スライド可能に支持されるものとされる。ここで、取付用プレート１２はパネルフレーム２に例えば溶接により固定され、取付用プレート１２とアンカー部材１１とは、長孔２１と係合し、かつボルト挿通用透孔１１ｄに挿通されてアンカー部材１１に固定される例えばボルト１３により接続される。
【００２１】
このように、実施形態１の外壁面材の支持構造Ｋは、外壁面材１を上端部中央位置Ｐ１および下端部中央位置Ｐ２では面内で回転可能に支持し、かつその中間部では各位置Ｐ３〜Ｐ１０において面内で上下スライド可能に支持するものとされる。これにより、パネルフレーム２の変形の際の相対変位を従来のものに比して１／２とすることができ、かつ、変形による応力を逃がすように外壁面材１を支持することが可能となる。したがって、外壁面材１がパネルフレーム２の変形により破壊して、脱落してしまうといった事故の発生を防止することができる。
【００２２】
また、外壁面材１とパネルフレーム２とが各位置Ｐ１〜Ｐ１０で相対変位可能に接続されることから、接続のために施される溶接量を低減することができ、外壁パネルの製造時間の短縮およびコスト低減が図られる。
【００２３】
その上、溶接量が低減されることから、解体が容易となり、解体に要する作業時間が短縮されるとともに、材料の再使用も容易となる。したがって、省資源、産業廃棄物の抑制およびコストダウンが図られる。
【００２４】
実施形態２
図５および図６に、本発明の実施形態２を示し、この実施形態２は、実施形態１を改変してなるものであり、実施形態１とは異なる方式の取付用プレート１２Ａを用いて、外壁面材１を面内で上下スライド可能に支持するものとされる。すなわち、図５および図６は、前記中間部の各位置Ｐ３〜Ｐ１０における支持構造を示すものとされる。
【００２５】
実施形態２においては、図６に示すように、外壁面材１とパネルフレーム２との間に下地材３１および外張り断熱材３２が介装されており、取付用プレート１２Ａは曲げ強度を大きくするために両端部が所定幅で直角に折り曲げられてなる補強部４１を有するものとされる。
【００２６】
しかして、取付用プレート１２Ａは、パネルフレーム２の厚みと略等しい段差がつけられた先端部４２の裏面を、溝型鋼からなるパネルフレーム２の外壁面材１側の側板部と当接させた状態で例えばボルト１３によりアンカー部材１１に固定されており、これにより、外壁面材１とパネルフレーム２とが面内で上下スライド可能に接続されるものとされる。なお、ボルト１３に代えてビスとすることもできる。
【００２７】
実施形態３
図７に、本発明の実施形態３を示し、この実施形態３は、実施形態１を改変してなるものであり、実施形態１とは異なる方式の取付用プレート１２Ｂを用いて、外壁面材１を面内で上下スライド可能に支持するものとされる。すなわち、図７は、前記中間部の各位置Ｐ３〜Ｐ１０における支持構造を示すものとされる。
【００２８】
実施形態３の取付用プレート１２Ｂは、図７に示すように、溝型鋼からなるパネルフレーム２の外壁面材１側の側板部を挟持するように、外壁面材１側からパネルフレーム２を支承する支承部５１と、図７（ｂ）に示すように、この支承部５１を間に挟んで取付用プレート１２Ｂの幅方向両側に形成され、パネルフレーム２を外壁面材１側に向かって押さえる押さえ部５２とを有してなるものとされる。支承部５１は、前記パネルフレーム２の側板部を押さえ部５２との間に嵌めやすいように、先端が折り曲げて形成されている。
【００２９】
また、取付用プレート１２Ｂの根本部分にはボルト１３が挿通されるボルト挿通用透孔５３が設けられるものとされる。なお、ボルト１３に代えてビスとすることもできる。
【００３０】
実施形態４
図８に、本発明の実施形態４を示し、この実施形態４は実施形態１を改変してなるものであり、ピン支持部に防水機能および変形吸収機能を有する厚肉円筒体とされたパッキンを装着してなるものとされる。
【００３１】
すなわち、図８に示すように、パネルフレーム２の外壁面材１を固定するボルト挿通孔２ａのクリアランスを通常より大きくし例えば６ｍｍとし、そのボルト挿通孔２ａに防水機能および変形吸収機能を有するパッキン６０を装着してなるものとされる。図中、符号３３は透湿防水シートを示し、符号７０，７１は平座金を示し、符号Ｂはボルトを示し、符号Ｎはナットを示す。
【００３２】
図９に、パッキン６０の好ましい形態を示す。
【００３３】
パッキン６０Ａは例えば合成ゴムからなるものとされ、図９に示すように、中心部にボルト挿通孔６１が貫通形成された厚肉円筒体とされ、その側面中央にはボルト挿通孔２ａ外縁と嵌合される嵌合溝６２が環状に形成されている。この場合、パッキン６０Ａの厚みは、嵌合溝６２の溝幅の３倍程度以上とされるのが、外壁面材の自重によるずれや運搬時におけるずれを防止する点から好ましい。図中、符号６３は平座金を示す。
【００３４】
しかして、かかる構成とされた支持構造においては、図１０に示すように、地震などにより建物が揺れてパネルフレーム２が長方形の状態から平行四辺形の状態に変形したとしても、スライド可能支持部Ｓ１により面材１が回転して面材１にひび割れなどが生ずるおそれはない。また、ピン支持部Ｓ２にはパッキン６０が装着されているので、図９（ｂ）に示すように、面材１に生ずる日常の熱伸縮や乾燥収縮などの変形がパッキン６０により吸収されるため、面材１に変形によるひび割れなどが生ずるおそれもない。さらに、パネルフレーム２のボルト挿通孔２ａ外縁がパッキン６０の嵌合溝６２に嵌合された状態でボルト締めがなされるので、その箇所の防水も図かられる。
【産業上の利用可能性】
【００３５】
本発明は、外壁面材の背面にパネルフレームが取り付けられてなる外壁パネルに適用できる。
【図面の簡単な説明】
【００３６】
【図１】本発明の実施形態１に係る外壁面材の支持構造を示す平面図である。
【図２】同支持構造に用いられるアンカー部材の詳細を示す図であり、同（ａ）は平面図であり同（ｂ）は断面図である。
【図３】同支持構造における支持形態を模式的に示す平面図である。
【図４】同支持構造におけるパネルフレームとアンカー部材との接続状態を示す平面図である。
【図５】本発明の実施形態２の外壁面材の支持構造におけるパネルフレームとアンカー部材との接続状態を示す平面図である。
【図６】同接続状態の詳細を示す図であり、同（ａ）は横断面図を示し、同（ｂ）は縦断面図を示す。
【図７】本発明の実施形態３の外壁面材の支持構造におけるパネルフレームとアンカー部材との接続状態を示す図であり、同（ａ）は横断面図を示し、同（ｂ）は取付用プレートの平面図を示す。
【図８】本発明の実施形態４の外壁面材の支持構造におけるパネルフレームとアンカー部材との接続状態を示す図である。
【図９】同実施形態の要部断面図であって、同（ａ）は変形前の状態を示し、同（ｂ）は変形後の状態を示す。
【図１０】同支持構造の動作説明図である。
【図１１】従来の外壁面材の支持構造の一例を示す一部断面図である。
【図１２】従来の外壁面材の支持構造の他の一例を示す一部断面図である。
【符号の説明】
【００３７】
Ｋ    支持構造
１    外壁面材
２    パネルフレーム
１１    アンカー部材
１２    取付用プレート
１３    ボルト
２１    長孔
【図１】
2006063785.tif 000003
【図２】
2006063785.tif 000004
【図３】
2006063785.tif 000005
【図４】
2006063785.tif 000006
【図５】
2006063785.tif 000007
【図６】
2006063785.tif 000008
【図７】
2006063785.tif 000009
【図８】
2006063785.tif 000010
【図９】
2006063785.tif 000011
【図１０】
2006063785.tif 000012
【図１１】
2006063785.tif 000013
【図１２】
2006063785.tif 000014